【手続補正書】
【提出日】平成30年8月6日(2018.8.6)
【手続補正１】
【補正対象書類名】特許請求の範囲
【補正対象項目名】全文
【補正方法】変更
【補正の内容】
【特許請求の範囲】
【請求項１】
複合システムの注目要素の視覚化及び分析のためのシステムを実行する装置であって、プロセッサと、実行可能な命令を記憶させたメモリとを備え、前記プロセッサによる実行に応じて、当該実行可能な命令は、前記装置に、少なくとも
複数の要素から成る複合システムの複数の物理インスタンスについてのデータを受信させて処理（６０２）させ、前記データは、前記複数の要素から注目要素を特定するために受信され処理され、また、前記注目要素に対する関心度の値を計算するように処理され、前記注目要素は、ある数の問題が特定された要素であり、前記関心度の値は、前記注目要素について特定された問題の数に比例し、前記実行可能な命令は、前記装置にさらに、
前記複合システムのデジタル三次元（３Ｄ）モデルを受信（６０８）させ、
前記デジタル３Ｄモデルの少なくとも一部の視覚表示であって、前記注目要素と、前記複数の要素の一又は複数の他の要素とを図示している視覚表示を生成（６０８）させ、
前記注目要素を、前記視覚表示によって図示される一又は複数の他の要素から区別するために、前記視覚表示によって図示される前記注目要素に視覚効果を適用（６１０）させ、前記視覚効果は、前記注目要素に適用された色であり、前記注目要素について特定された問題の数に比例する関心度の値と共に変化する特性を有し、前記一又は複数の他の要素は、何も色が適用されずに前記視覚表示によって図示される、装置。
【請求項２】
前記注目要素は、前記複合システムの前記複数の物理インスタンスについての前記データによって示される、異常な状態の問題がある、又は異常な状態の問題があった前記複数の要素のうちの一つの要素である、請求項１に記載の装置。
【請求項３】
前記データを受信し処理（６０２）させられる前記装置が、信頼性及び保全性データを収集するように構成されたコンピュータベースのシステムから、前記複数の要素の内の要素について、メンテナンス及び修理を含む事象間の時間を含む実績ベースの測定値を受信し処理させられることを含み、前記注目要素は、前記注目要素についての前記実績ベースの測定値から特定され、ある数のメンテナンス及び修理の問題を有する要素である、請求項１に記載の装置。
【請求項４】
前記視覚効果を適用（６１０）させられる前記装置が、前記注目要素に色を適用させられることを含み、前記色の色合いは、計算された前記関心度の値と共に変化する、請求項１に記載の装置。
【請求項５】
前記メモリに更なる実行可能な命令が格納されており、前記プロセッサによる実行に応じて、当該命令は、前記装置に更に、
前記視覚表示の特定のポイントのユーザの選択を受信（７０４）させ、
前記特定のポイントを前記複合システムの座標系内の特定の場所に変換（７０４）させ、
前記特定の場所において、又は前記特定の場所周囲の容積内で、又は前記特定の場所によって少なくとも一部において画定される容積内で、前記複合システムの要素を図示する第１の文書コンポーネントであって、前記複合システムの前記座標系内の前記要素の３Ｄ形状を反映する構造情報を提供する関連メタデータを有し、且つ前記関連メタデータから特定される第１の文書コンポーネントを特定（７１２）させ、
前記第１の文書コンポーネントを含み、前記第１の文書コンポーネントと一又は複数の第２の文書コンポーネントとの間のリンクを更に特定する構造情報を提供する前記関連メタデータから特定される前記一又は複数の第２の文書コンポーネントを含む文書コンポーネントのパノラマ的に配置された画像のレイアウトを生成（７１８）させ、
前記リンクは、前記第１の文書コンポーネントと前記一又は複数の第２の文書コンポーネントのメディアコンテンツの間の論理関係を確立し、前記レイアウトは、前記論理関係が、前記画像のうち少なくとも幾つかの画像と他の画像との、サイズ、場所及び／又は深さにおける差異によって表される二次元レイアウトである、請求項１に記載の装置。
【請求項６】
複数の要素から成る複合システムの複数の物理インスタンスについてのデータを受信し処理する（６０２）ことであって、前記データは、前記複数の要素から注目要素を特定するために受信され処理され、また、前記注目要素に対する関心度の値を計算するように処理され、前記注目要素は、ある数の問題が特定された要素であり、前記関心度の値は、前記注目要素について特定された問題の数に比例する、受信し処理する（６０２）ことと、
前記複合システムのデジタル三次元（３Ｄ）モデルを受信する（６０８）ことと、
前記デジタル３Ｄモデルの少なくとも一部の視覚表示を生成する（６０８）ことであって、前記視覚表示は、前記注目要素と、前記複数の要素の一又は複数の他の要素とを図示している、生成する（６０８）ことと、
前記注目要素を、前記視覚表示によって図示される前記一又は複数の他の要素から区別するために、前記視覚表示によって図示される前記注目要素に視覚効果を適用する（６１０）ことであって、前記視覚効果は、前記注目要素に適用された色であり、前記注目要素について特定された問題の数に比例する関心度の値と共に変化する特性を有し、前記一又は複数の他の要素は、何も色が適用されずに前記視覚表示によって図示される、視覚効果を適用する（６１０）ことと
を含む方法。
【請求項７】
前記注目要素は、前記複合システムの複数の物理インスタンスについてのデータによって表される、異常な状態の問題がある、又は異常な状態の問題があった前記複数の要素のうちの一つの要素である、請求項６に記載の方法。
【請求項８】
前記データを受信し処理する（６０２）ことが、信頼性及び保全性データを収集するように構成されたコンピュータベースのシステムから、前記複数の要素のうちの要素について、メンテナンス及び修理を含む事象間の時間を含む実績ベースの測定値を受信し処理することを含み、前記注目要素は、前記注目要素の前記実績ベースの測定値から特定され、ある数のメンテナンス及び修理の問題を有する要素である、請求項６に記載の方法。
【請求項９】
前記視覚効果を適用する（６１０）ことが、前記注目要素に色を適用することを含み、前記色の色合いは、計算された前記関心度の値と共に変化する、請求項６に記載の方法。
【請求項１０】
前記視覚表示の特定のポイントについてのユーザの選択を受信する（７０４）ことと、
前記特定のポイントを前記複合システムの座標系内の特定の場所に変換する（７０４）ことと、
前記特定の場所において、又は前記特定の場所周囲の容積内で、又は前記特定の場所によって少なくとも一部において画定される容積内で、前記複合システムの要素を図示する第１の文書コンポーネントを特定する（７１２）ことであって、前記第１の文書コンポーネントが、前記複合システムの前記座標系内の前記要素の３Ｄ形状を反映する構造情報を提供する関連メタデータを有し、且つ前記関連メタデータから特定される、前記特定する（７１２）ことと、
前記第１の文書コンポーネントを含み、前記第１の文書コンポーネントと一又は複数の第２の文書コンポーネントとの間のリンクを更に特定する構造情報を提供する前記関連メタデータから特定される前記一又は複数の第２の文書コンポーネントを含む文書コンポーネントのパノラマ的に配置された画像のレイアウトを生成する（７１８）ことと
を更に含み、前記リンクは、前記第１の文書コンポーネントと前記一又は複数の第２の文書コンポーネントのメディアコンテンツ間の論理関係を確立し、前記レイアウトは、前記論理関係が、前記画像のうち少なくとも幾つかの画像と他の画像との、サイズ、場所及び／又は深さにおける差異によって表される二次元レイアウトである、請求項６に記載の方法。